(57)【要約】特に、手操作式拡大鏡又はスタンド式拡大鏡であり、ハウジングと、前記ハウジングの一部に固定された拡大光学素子と、前記ハウジングに接して配置され、そこに取り付けられた、カメラの形態である電子画像検出系とを備えた光学視覚補助器具が開示される。前記カメラ(５)はカラーカメラとして構成されている。
2005532577.tif 000002
【特許請求の範囲】
【請求項１】
特に、手持ち式又はスタンド式の拡大鏡であり、ハウジングと、前記ハウジングの一部に固定された拡大光学素子と、また前記ハウジングに接して配置される、又はこれに取り付け可能なカメラの形態である電子画像取得系とを備えた光学視覚補助器具であって、
前記カメラ（５）がカラーカメラとして設計されていることを特徴とする光学視覚補助器具。
【請求項２】
前記カメラ（５）が拡大鏡キャリヤ（６）の周縁に固定されていることを特徴とする請求項１に記載の光学視覚補助器具。
【請求項３】
前記カメラ（５）の光軸（７）が、前記拡大レンズ（４）の光軸（８）に対して角度（９）をなすことを特徴とする先行請求項の１つに記載の光学視覚補助器具。
【請求項４】
前記カメラ（５）によって取得された部分画像（１０）が、前記拡大レンズ（４）によって取得された部分画像（１０）の範囲内にある、又はこれに一致することを特徴とする先行請求項の１つに記載の光学視覚補助器具。
【請求項５】
ＬＥＤ照明（１１）、特にカラーＬＥＤ照明を備えることを特徴とする先行請求項の１つに記載の光学視覚補助器具。
【請求項６】
前記ＬＥＤ照明（１１）、特にカラーＬＥＤ照明の各素子が、前記カメラ（５）とともに共通のキャリヤ（１２）上に固定されていることを特徴とする先行請求項の１つに記載の光学視覚補助器具。
【請求項７】
前記キャリヤ（１２）が交換可能であることを特徴とする先行請求項の１つに記載の光学視覚補助器具。
【請求項８】
ハンドル（１４）又は独立したハウジングユニットに備えられ、前記カメラ（５）と相互に作動する、手動作動可能なコントラスト制御装置（１５）を備えることを特徴とする先行請求項の１つに記載の光学視覚補助器具。
【請求項９】
色制御スイッチ（１８）を有することを特徴とする先行請求項の１つに記載の光学視覚補助器具。
【請求項１０】
前記ＬＥＤ照明（１１）の前記少なくとも１つのカラーＬＥＤの発光色が、前記色制御スイッチ（１８）を用いて変更可能であることを特徴とする先行請求項の１つに記載の光学視覚補助器具。
【請求項１１】
前記カメラ（５）の前記レンズ系の焦点距離を変更する、又は電子拡大機能に影響を与えるズームスイッチ（２０）を有することを特徴とする先行請求項の１つに記載の光学視覚補助器具。
【請求項１２】
前記カメラ（５）のそれぞれ異なる照明及び／又はコントラストプログラムを選択するのに用いることができる少なくとも１つのプログラムキー（２２）を有することを特徴とする先行請求項の１つに記載の光学視覚補助器具。
【請求項１３】
小型モニター（２３）が、前記視覚補助器具の前記カメラ（５）又は前記ハウジング（２）に固定されていることを特徴とする先行請求項の１つに記載の光学視覚補助器具。
【請求項１４】
前記カメラ（５）の信号を、テレビ受像機（２８）又はモニター（２８）に接続された受信機（２７）に無配線で送信することを可能にする送信装置（２６）を備えることを特徴とする先行請求項の１つに記載の光学視覚補助器具。
【請求項１５】
前記カメラ（５）が、前記拡大レンズ（４）の縁端に旋廻可能に固定されていることを特徴とする先行請求項の１つに記載の光学視覚補助器具。
【請求項１６】
前記カメラ（５）が、ジッターを除去する電子回路を備えることを特徴とする先行請求項の１つに記載の光学視覚補助器具。
【発明の詳細な説明】
【技術分野】
【０００１】
本発明／革新は、特に、手持ち式又はスタンド式拡大鏡の形態である光学視覚補助器具に関する。公知のこの種類の光学視覚補助器具は一般に、ハウジングと、またハウジングの一部に固定された拡大レンズの形態である拡大光学素子とを備える。また、カメラの形態である電子画像取得系を、ハウジングに接して配置することは既に開示済である。
【背景技術】
【０００２】
公知のカメラを備えた光学視覚補助器具の場合、カメラは白黒カメラとして設計されている。これにより、拡大対象である光学構造体が比較的高コントラストである場合には適切な効果が得られる。しかし、オリジナルが低コントラストである場合、視覚障害者にとって、白黒カメラを備えた手持ち式又はスタンド式拡大鏡では、求められる好結果はもはや達成され得ないことが分かっている。
【発明の開示】
【発明が解決しようとする課題】
【０００３】
本発明／革新は、請求項１の前提部分の特徴を有する光学視覚補助器具を、オリジナルの種類に拘わらず、視力が非常に弱い人達にとっても、カメラ画像による観察結果が著しく向上するように設計するという目的に基づいている。この目的は、請求項１の特徴部分の特徴によって達成される。有利な展開である各発明が下位請求項２−１６から明らかになる。
【課題を解決するための手段】
【０００４】
低コントラスト及び特に、カラーのオリジナルの場合であっても、カラーカメラは、驚くべきことに特に有利な効果をもたらす。カラーカメラを用いると、オリジナルのカラー照明及び／又はカメラから得られる色映像信号からの個々の色要素の削除によって、視力が非常に弱い人達であっても低コントラストのオリジナルを確実に認識することを可能にする、非常に広範な画像及び／又はコントラストの処理が可能になるからである。また、この場合重要なのは、特に、視覚障害者の人達の目は、特定の色に、その他の色に対してよりもより敏感に反応することである。照明色の選択及び／又は映像色信号のフィルタリングにより、カラーカメラと調整可能な照明ユニットとの組み合わせを介して特に良好な効果が得られる。調整可能な照明ユニットは、カラーＬＥＤ照明として設計されていてもよい。カラーＬＥＤ照明は、通例のカラーＬＥＤ（「Full color RGB LED 5 mm」、例えば、Conrad Elektronik GmbH製、注文番号１８５３５３−２２、LF ５９型）を様々な電圧で駆動することによって色調整してもよい。１つ又は複数のそのようなカラーＬＥＤが互いに組み合わされる、又は強力な白色光ＬＥＤとともに用いられる場合には、カラーカメラと連係して最適化可能なコントラスト効果を達成することができる。
【０００５】
このようなカメラは、拡大鏡キャリヤの周縁に固定されていてもよい。その場合には、拡大鏡を、カメラを用いない通例の方法で有利に使用することができる。カメラの光軸は、拡大素子の光軸に対して角度をなすものとし、その結果、カメラによって取得された部分画像は、拡大鏡によって取得された部分画像の範囲内にある、又は拡大鏡によって取得された部分画像に本質的に一致する。ＬＥＤ照明の、特にカラーＬＥＤ照明の各素子が、カラーカメラとともに共通のキャリヤ上に固定されると特に有利であることが分かる。その場合には、前記キャリヤは、カラーカメラ及び照明ＬＥＤに操作電圧を供給し、同様にそれらを色に応じて調節するために、共通の制御回路によって駆動されてもよい。
【０００６】
光学視覚補助器具上に、手動操作可能なコントラスト制御器を備えることも有利である。コントラスト制御器は、ハンドル又は独立したハウジングユニットに固定されてもよい。カラーＬＥＤの発光色を変更するために、又はカメラの色信号のカラーフィルタリングを行うために用いることができる色制御スイッチを設けても有利である。そのような色制御スイッチは、例えば、各原色に対する１つ又は複数のスライディングレギュレータを有してもよい。更に、そのような色制御スイッチは、プリセット可能なフィルター、照明及び／又は色の構成を選択するのに用いることができるメニューキーと組み合わせてもよい。
【０００７】
また、カメラのレンズの焦点距離をズームスイッチを用いて変更してもよく、その結果、異なるサイズの部分画像を異なったように観察することができる。
【０００８】
小型モニター又は小型ＬＣＤ表示装置をカメラ又はハウジングに固定した場合には、カメラの設定、例えば、フォーカス、コントラスト等を、直接、光学視覚補助器具上で管理すること、又はメニューシーケンスステップをモニター上又は表示装置上に表示させることができ、それによって操作者によるカメラの制御が大幅に容易になる。このことは、カメラのそれぞれ異なる照明及び／又はコントラストプログラムをプログラムキーを用いて選択可能な場合に、特に意義深い。
【０００９】
また、カラーカメラの信号を、テレビ受像機又はモニターに無配線で送信できれば有利である。更に、視覚障害者の場合、カメラ画像からジッターを除去する、それ自体が公知の電子回路を用いることで観察結果が向上する。
【発明を実施するための最良の形態】
【００１０】
本発明を、図面の各図に示された例示的な各実施形態に基づいて、更に詳細に説明する。
【００１１】
スタンド式拡大鏡１は、拡大レンズ４が固定された枠状部３を有するハウジング２を備える。ハウジング２に接して、カメラ５の形態である電子画像取得系が配置されている。カメラ５は、カラーカメラとして設計され、拡大鏡キャリヤ６に対して水平方向に、すなわちその周縁に固定されている。
【００１２】
カメラ５の光軸７は、拡大レンズ４の光軸８に対して角度９をなし、その結果、カメラ５によって取得された部分画像１０は、拡大レンズ４によって取得された部分画像１０に本質的に一致する。
【００１３】
更に、ＬＥＤ照明１１、すなわちカラーＬＥＤ照明がハウジング２上に取り付けられており、ＬＥＤ照明１１の各素子は、カメラ５とともに、プリント回路基板にならって設計された共通のプレート状キャリヤ１２上に固定されている。キャリヤ１２は、ハウジング２の一部に交換可能に固定されている。
【００１４】
光学視覚補助器具はまた、手動操作可能なコントラスト制御装置１５を備える。コントラスト制御装置１５は、ハウジングのハンドル１６又は独立したハウジングユニット１７に固定されていてもよく、カメラ５と相互に作動する。コントラスト制御装置は、コントラストが強化されるように、又はそのコントラストを強化するために、かなり特定された色が抑制されるように、カメラ５から得られる電子画像信号を電子的に処理する役割を果たしてもよい。
【００１５】
それに加えてまたはそれに代わり、ＬＥＤ照明１１の少なくとも１つのカラーＬＥＤ１９の発光色を変更するために用いることができる色制御スイッチ１８を設けてもよい。
【００１６】
それに加えて又はそれに代わり、カメラのズームレンズ系の焦点距離を変更するズームスイッチ２０を設けてもよい。
【００１７】
プログラムキー２２は、ＬＥＤ照明又はカメラ５のそれぞれ異なる照明及び／又はコントラストプログラムを選択する、又はそれらを互いに整合させる役割を果たす。
【００１８】
カメラ５の背面上には、ＬＣＤモニター又はＬＣＤ表示装置の形態である小型モニター２３が備えられている。小型モニター２３から、それぞれ異なるプログラム状態又はカメラによって取得された画像を、操作者または補助者が管理できるように設定することができる。２６は送信装置を示しており、これを用いて、カメラ５の信号を、テレビ受像機２８またはモニター２８′を接続可能な受信機２７に無配線で送信することができる。
【００１９】
カメラ５は、拡大レンズ４の縁端に、これら２つの素子の相互旋廻が可能となるように固定されている。
【００２０】
また、ジッター、特に手ぶれを除去する電子回路がカメラ内に備えられている。このような電子回路は、ビデオカメラ等についての先行技術であり、更なる技術的説明は不要である。
【図面の簡単な説明】
【００２１】
【図１】図１は、手持ち式／スタンド式拡大鏡として設計された光学視覚補助器具の斜視図である。
【図２】図２は、図１に従った視覚補助器具の正面図である。
【図３】図３は、ＬＥＤ照明及びカメラを備えたキャリヤの詳細図である。
【図１】
2005532577.tif 000003
【図２】
2005532577.tif 000004
【図３】
2005532577.tif 000005
【国際調査報告】
2005532577.tif 000006
2005532577.tif 000007
2005532577.tif 000008
2005532577.tif 000009